(57)【要約】【課題】定期的な調整をすることなく、エレベータの主ロープの張力調整ができるエレベータのロープ張力調整装置の提供。【解決手段】ロープ張力調整装置２１は、ベース首振り部２３と、シーソー板２５と、複数のロープ支持首振り部２７と、複数の弾性部材２９とを備え、ベース首振り部の一端は、エレベータのかごと一体に支持され、ベース首振り部の他端は、シーソー板の一面側に支持されており、シーソー板の他面側には、複数のロープ支持首振り部のそれぞれの一端が支持されており、複数のロープ支持首振り部のそれぞれの他端は、対応する弾性部材を介して、対応するロープを支持する。【選択図】図３
2017047997.tif 000002
【特許請求の範囲】
【請求項１】
ベース首振り部と、シーソー板と、複数のロープ支持首振り部と、前記複数のロープ支持首振り部に対応した複数の弾性部材とを備え、
前記ベース首振り部の一端は、エレベータのかごと一体に支持され、該ベース首振り部の他端は、前記シーソー板の一面側に支持されており、
前記シーソー板の他面側には、前記複数のロープ支持首振り部のそれぞれの一端が支持されており、
前記複数のロープ支持首振り部のそれぞれの他端は、対応する前記弾性部材を介して、対応するロープを支持する、
ロープ張力調整装置。
【請求項２】
前記ベース首振り部および前記複数のロープ支持首振り部はそれぞれ、球面部と、該球面部に当接されている截頭円錐面を含む受け部とを備えている、
請求項１のロープ張力調整装置。
【請求項３】
前記ベース首振り部の前記受け部には、前記シーソー板に対する傾き検出センサが設けられている、
請求項２のロープ張力調整装置。
【請求項４】
ベース首振り部と、中間シーソー板と、複数の中間首振り部と、複数の最終シーソー板と、複数のロープ支持首振り部と、前記複数のロープ支持首振り部に対応した複数の弾性部材とを備え、
前記ベース首振り部の一端は、エレベータのかごと一体に支持され、該ベース首振り部の他端は、前記中間シーソー板の一面側に支持されており、
前記中間シーソー板の他面側には、前記複数の中間首振り部のそれぞれの一端が支持されており、
前記複数の中間首振り部のそれぞれの他端は、対応する前記最終シーソー板の一面側に支持されており、
前記最終シーソー板のそれぞれの他面側には、対応する前記複数のロープ支持首振り部のそれぞれの一端が支持されており、
前記複数のロープ支持首振り部のそれぞれの他端は、対応する前記弾性部材を介して、対応するロープを支持する、
ロープ張力調整装置。
【請求項５】
前記ベース首振り部、前記複数の中間首振り部および前記複数のロープ支持首振り部はそれぞれ、球面部と、該球面部に当接されている截頭円錐面を含む受け部とを備えている、
請求項４のロープ張力調整装置。
【発明の詳細な説明】
【技術分野】
【０００１】
この発明は、ロープ張力調整装置に関するものである。
【背景技術】
【０００２】
複数本の主ロープを有するエレベータに設けられたロープ張力調整装置には、主ロープの端部に固定されたロープソケットを保持する保持器と、フローティングばね部に設けられた検出機とを有したものがある（例えば、特許文献１参照）。
【先行技術文献】
【特許文献】
【０００３】
【特許文献１】特開平８−３２４９２３号公報
【発明の概要】
【発明が解決しようとする課題】
【０００４】
しかしながら、主ロープの伸びに起因したロープ張力の経年変化によるバラツキは、定期的に調整しなければならない、という問題がある。
【０００５】
本発明は、かかる問題を解決するためになされたもので、定期的な調整をすることなく、エレベータの主ロープの張力調整ができるエレベータのロープ張力調整装置を得ることを目的とする。
【課題を解決するための手段】
【０００６】
上述した目的を達成するため、本発明のロープ張力調整装置は、ベース首振り部と、シーソー板と、複数のロープ支持首振り部と、前記複数のロープ支持首振り部に対応した複数の弾性部材とを備え、前記ベース首振り部の一端は、エレベータのかごと一体に支持され、該ベース首振り部の他端は、前記シーソー板の一面側に支持されており、前記シーソー板の他面側には、前記複数のロープ支持首振り部のそれぞれの一端が支持されており、前記複数のロープ支持首振り部のそれぞれの他端は、対応する前記弾性部材を介して、対応するロープを支持する。
【発明の効果】
【０００７】
本発明のロープ張力調整装置によれば、定期的な調整をすることなく、エレベータの主ロープの張力調整ができる。
【図面の簡単な説明】
【０００８】
【図１】本発明の実施の形態１のロープ張力調整装置を適用するエレベータの一例を示す図である。
【図２】本実施の形態１のロープ張力調整装置の全体構成を説明する図である。
【図３】複数のロープの長さが均一の場合に関し、一つのロープに着目してロープ張力調整装置を示す図である。
【図４】複数のロープの長さが不均一になった場合の、図３と同態様の図である。
【図５】本発明の実施の形態２に関する、図２と同態様の図である。
【図６】本発明の実施の形態３に関する、図４と同態様の図である。
【発明を実施するための形態】
【０００９】
以下、本発明に係るロープ張力調整装置の実施の形態について添付図面に基づいて説明する。なお、図中、同一符号は同一又は対応部分を示すものとする。
【００１０】
実施の形態１．
図１は、本実施の形態１のロープ張力調整装置を適用するエレベータの一例を示す図である。
【００１１】
エレベータ１は、上下に延びる昇降路３と、その中を移動可能に設けられたかご５および釣り合いおもり７とを備えている。これらかご５及び釣り合いおもり７は巻上機９によって駆動される複数のロープ１１に吊り下げられている。なお、図１では、複数のロープ１１は、一つの集合として、単一の線のように図示している。
【００１２】
巻上機９によって、ロープ１１が駆動されると、かご５及び釣り合いおもり７は、相互に上下反対方向に昇降される。本実施の形態１のロープ張力調整装置は、かご５とロープ１１との接続に関する間、および、釣り合いおもり７とロープ１１との接続に関する間の一方または双方に配置される。
【００１３】
図２から図４に基づき、本実施の形態１のロープ張力調整装置の詳細について説明する。図２は、本実施の形態１のロープ張力調整装置の全体構成を説明する図である。図３は、複数のロープの長さが均一の場合に関し、一つのロープに着目してロープ張力調整装置を示す図である。図４は、複数のロープの長さが不均一になった場合の、図３と同態様の図である。
【００１４】
ロープ張力調整装置２１は、ベース首振り部２３と、シーソー板２５と、複数のロープ支持首振り部２７と、前記複数のロープ支持首振り部２７に対応した複数の弾性部材２９とを備える。
【００１５】
ベース首振り部２３の一端は、エレベータのかご５と一体に支持されている。具体的一例を示すと、ベース首振り部２３は、かご枠またはおもり枠１３に支持されている。ベース首振り部２３は、球面部２３ａと、その球面部２３ａに当接されている截頭円錐面を含む受け部２３ｂとを備えている。そして、この受け部２３ｂが、かご枠またはおもり枠１３に固定されている。
【００１６】
一方、ベース首振り部２３の他端は、シーソー板２５の一面側に支持されている。具体的には、球面部２３ａが、シーソー板２５の一面側（上面側）に固定されている。
【００１７】
球面部２３ａと、受け部２３ｂとの間には、グリースが塗布されており、球面部２３ａおよびシーソー板２５は、受け部２３ｂ、および、かご枠またはおもり枠１３に対して、自在に姿勢変化できるようになっている。換言すると、ベース首振り部２３は、球面部２３ａと受け部２３ｂとの当接離隔方向つまり図１の紙面上下方向に延びる基準軸Ｂを考えた場合、この基準軸Ｂまわりに３６０度、この基準軸Ｂを含むどの断面を考えた場合でも、シーソー板２５が、かご枠またはおもり枠１３に対してシーソーのような動作で傾くことができる機構を有している。図１は、この基準軸Ｂまわりにおけるある一断面に相当している。なお、この明細書では、首振り機構とは全て、このような機能を提供できる機構を示すものとする。
【００１８】
シーソー板２５の他面側（下面側）には、複数のロープ支持首振り部２７のそれぞれの一端が支持されている。ロープ支持首振り部２７は、球面部２７ａと、その球面部２７ａに当接されている截頭円錐面を含む受け部２７ｂとを備えている。そして、この受け部２７ｂが、シーソー板２５の他面側に固定されている。
【００１９】
複数のロープ支持首振り部２７のそれぞれの他端は、対応する弾性部材２９を介して、対応するロープ５を支持している。より詳細に説明すると、まず、各ロープ１１の先端には、ロープソケット１５が接続されており、各ロープソケット１５の下部の軸部１５ａが、シーソー板２５を一面側から貫通して他面側に突き出ており、さらに、各軸部１５ａは、対応する球面部２７ａおよび受け部２７ｂを貫通している。換言すると、シーソー板２５、球面部２７ａおよび受け部２７ｂには、対応するロープソケット１５の軸部１５ａが通る穴が設けられている。
【００２０】
ロープソケット１５の軸部１５ａの外周面にはねじ溝があり、軸部１５ａには支持ナット１７が螺合されている。弾性部材２９は、ロープ支持首振り部２７の球面部２７ａと、支持ナット１７との間に配置されており、弾性部材２９の一端（上端）は、ばね受け１９ａを介して球面部２７ａに支持されており、弾性部材２９の他端（下端）は、ばね受け１９ｂを介して支持ナット１７に支持されている。
【００２１】
本実施の形態１では、いわゆる１：１ローピング、ロープ本数３本の場合を例示している。３本のロープ１１（および付随するロープソケット１５、ロープ支持首振り部２７、弾性部材２９）の配置位置は、平面視、円形のシーソー板２５の周方向に等角度間隔で相互に離れている。なお、図２では、図示の都合上、２本のロープのみ示され、残りの１本のロープは図示省略されている。
【００２２】
このように構成されたロープ張力調整装置２１においては、ロープ１１の経年劣化に伴う伸びが発生した場合には、複数のロープ間でロープ張力のアンバランスによりシーソー板２５が図４のように傾く。これにより、ロープ張力がバランスした姿勢を保つことで、３本のロープ張力が均一な状態に復帰・維持する作用が得られる。したがって、主ロープの伸びに起因したロープ張力のバラツキに対し、定期的な調整をすることなく、エレベータの主ロープの張力調整が可能となる。
【００２３】
実施の形態２．
上記実施の形態１では、１つのシーソー板を用いて構成しているが、複数のシーソー板を用いて構成することで、ロープ本数が増加した場合にも、同様の動作を行わせることができる。本実施の形態２は、その一例について説明する。図５は、本発明の実施の形態２に関する、図２と同態様の図である。なお、図５では、図示の都合上、４本のロープのみ示され、残りの２本のロープは図示省略されている。また、本実施の形態２は、以下に説明する部分以外は、上記実施の形態１と同様であるものとする。
【００２４】
本実施の形態２のロープ張力調整装置は、６本のロープ１１に適用する構成であり、ベース首振り部（図示省略）と、中間シーソー板１３１と、複数の（２つの）中間首振り部１３３と、複数の（２つの）最終シーソー板１２５と、複数のロープ支持首振り部２７と、複数の弾性部材２９とを備える。ベース首振り部および中間首振り部１３３は、実施の形態１のベース首振り部２３と同じ構成である。
【００２５】
ベース首振り部の一端は、エレベータのかごと一体に支持され、ベース首振り部の他端は、中間シーソー板１３１の一面側に支持されている。中間シーソー板１３１の他面側には、複数の中間首振り部１３３のそれぞれの一端が支持されており、複数の中間首振り部１３１のそれぞれの他端は、対応する最終シーソー板１２５の一面側に支持されている。最終シーソー板１２５のそれぞれの他面側には、対応する複数のロープ支持首振り部２７のそれぞれの一端が支持されている。複数のロープ支持首振り部２７のそれぞれの他端は、対応する弾性部材２９を介して、対応するロープ１１を支持している。
【００２６】
すなわち、中間シーソー板１３１に複数の中間首振り部１３３が設けられており、それぞれの中間首振り部１３３に最終シーソー板１２５が設けられている。つまり、中間首振り部１３３を介して最終シーソー板１２５による支持経路が分岐されている。このような構成によっても、実施の形態１と同様な利点が得られ、また、実施の形態１よりも多くのロープに適用することができる。なお、図５は、１：１ローピングの場合を示したが、２：１ローピングや３：１ローピングでも適用できる。
【００２７】
実施の形態３．
次に、図６に基づいて、本発明の実施の形態３について説明する。図６は、本実施の形態３に関する、図４と同態様の図である。本実施の形態３は、以下に説明する部分を除いては、上述した実施の形態１または２と同様であるものとする。
【００２８】
本実施の形態３では、ベース首振り部２３の受け部２３ｂに、シーソー板２５の傾きが一定値以上になったことを検出する検出センサ２３５が設けられている。検出センサ２３５は、当該検出センサ２３５にシーソー板２５が当接した状態を検出することができるセンサ、または、検出センサ２３５とシーソー板２５との距離を検出するかもしくは当該距離が一定以下になったことを検出することができるセンサであり、一例を挙げると、圧電素子によって構成されている。
【００２９】
本実施の形態３によっても、上述した実施の形態１または２と同様な利点が得られる。さらに加えて、本実施の形態３では、次のような利点も得られる。本実施の形態３によれば、シーソー板２５の傾きが、ある一定値以上に拡大した場合、ロープ張力のバラツキを吸収できなくなる前にシーソー板の傾きを検出することで、ロープの張力変化を把握し適正な保守を行うことができる。また、検出センサ２３５の検出結果を、保守会社へ信号にて発信することで、ロープの異常を遠隔監視することができる。
【００３０】
また、本実施の形態３に関する図示とその説明は、本実施の形態３を実施の形態１と組み合わせたものを例に行ったが、本実施の形態３は、実施の形態２と組み合わせることもできる。よって、第１の別態様として、図５の中間首振り部１３３の受け部に、最終シーソー板１２５の傾きが一定値以上になったことを検出する検出センサが設けられている態様が考えられ、第２の別態様として、図５のベース首振り部の受け部に、中間シーソー板１３１の傾きが一定値以上になったことを検出する検出センサが設けられている態様が考えられる。この第１の別態様および第２の別態様の、一方、または、双方を有する実施の形態も可能である。
【００３１】
以上、好ましい実施の形態を参照して本発明の内容を具体的に説明したが、本発明の基本的技術思想及び教示に基づいて、当業者であれば、種々の改変態様を採り得ることは自明である。
【符号の説明】
【００３２】
２１  ロープ張力調整装置、２３  ベース首振り部、２５  シーソー板、２７  ロープ支持首振り部、２９  弾性部材、１３１  中間シーソー板、１３３  中間首振り部、１２５  最終シーソー板、２３５  検出センサ。
【図１】
2017047997.tif 000003
【図２】
2017047997.tif 000004
【図３】
2017047997.tif 000005
【図４】
2017047997.tif 000006
【図５】
2017047997.tif 000007
【図６】
2017047997.tif 000008